(57)【要約】      （修正有）【課題】組立に手間が掛からず、固定部が破損しないシャッター付き光コネクタ用アダプタを提供する。【解決手段】シャッター付き光コネクタ用アダプタ１において、付勢手段４によるシャッター機能を発揮するようにシャッター３の裏面に付勢手段４の一端部を収納するガイド溝が設けられ、付勢手段４を仮止めする収納部及び仮止め手段が設けられ、アダプタハウジング２の底部に仮止め手段の一部を収納するガイド溝が設けられ、シャッター３に付勢手段４が仮止めされた状態でシャッター３の他端部がアダプタハウジング２の所定の位置に回動自在に係合されて取り付けられ、付勢手段４が、アダプタハウジング２にシャッター３が取り付けられた状態で付勢手段４を仮止めするための収納部から脱し、シャッター３のガイド溝とアダプタハウジング２のガイド溝とに収納された付勢手段４の一端部と他端部とにより支持されるようにした光コネクタ用アダプタ１とする。【選択図】図１−Ｂ
2014123030.tif 000002
【特許請求の範囲】
【請求項１】
両端開口部に光コネクタ用プラグを嵌合させて接続させるアダプタハウジングと、
前記アダプタハウジングの一端側開口部に設けられ斜め配置で当該一端側開口部を閉蓋するシャッターと、
前記シャッターを閉蓋方向に付勢する付勢手段とで構成される光コネクタ用アダプタにおいて、
前記アダプタハウジングの一端側開口部と前記シャッターとの回動自在な連結部に、前記付勢手段を組立て位置固定するための固定部を必要とせずに、該付勢手段によるシャッター機能を発揮するように、
前記シャッターの裏面に、前記付勢手段の一端部を収納するガイド溝が設けられるとともに、前記付勢手段を仮止めする収納部及び仮止め手段が設けられ、
前記アダプタハウジングの底部に前記仮止め手段の一部を収納するガイド溝が設けられ、
前記シャッターに付勢手段が仮止めされた状態で該シャッターの他端部が前記アダプタハウジングの所定の位置に回動自在に係合されて取り付けられ、
前記付勢手段が、アダプタハウジングにシャッターが取り付けられた状態で、当該付勢手段を仮止めするための前記収納部から脱し、前記シャッターのガイド溝とアダプタハウジングのガイド溝とに収納された当該付勢手段の一端部と他端部とにより支持されていること、
を特徴とする光コネクタ用アダプタ。
【請求項２】
付勢手段はトーションバネであり、シャッターに設けた仮止め手段は、前記付勢手段の円筒状のコイル部に突き刺さって該付勢手段を仮止めする三角状の突起であること、
を特徴とする請求項１に記載の光コネクタ用アダプタ。
【請求項３】
シャッターの裏面に設けられた付勢手段を収納する収納部及びガイド溝と、アダプタハウジングの底部に設けられたガイド溝とは、前記シャッターの全開状態で付勢手段を全部収納するとともに、当該シャッターの裏面とアダプタハウジングの底部上面とが密接状態になること、
を特徴とする請求項１または２に記載の光コネクタ用アダプタ。
【発明の詳細な説明】
【技術分野】
【０００１】
本発明は、光コネクタ用プラグ同士を接続するシャッター付きの光コネクタ用アダプタに関するものである。
【背景技術】
【０００２】
従来、光コネクタ用プラグ同士を接続するためのアダプタで、作業者・一般人に対する有害レーザーからの目の保護と、アダプタ内部への塵埃の侵入防止のためのシャッターが付いた光コネクタ用アダプタが知られている。これは、例えば、特許文献１に記載されているように、コネクタハウジングの両端に光軸を一致させて接続させる嵌合部Ａ，Ｂをそれぞれ備え、前記嵌合部Ａを、斜め配置で閉鎖するシャッター板と、該シャッター板を閉鎖方向へ付勢する板バネとを配設し、前記嵌合部Ａに光コネクタを嵌合することによって前記シャッター板を板バネの押圧力に抗して開放するように構成する、というものである。
【先行技術文献】
【特許文献】
【０００３】
【特許文献１】特開２００８−２２５１３３号公報
【発明の概要】
【発明が解決しようとする課題】
【０００４】
しかし、従来のシャッター付き光コネクタ用アダプタにおいては、前記シャッター板を閉鎖方向に付勢する板バネ等の付勢手段は、例えば、シャッター裏面にバネ固定部を形成するために、金型構造において複雑な形状を形成する必要があるので製造コストが嵩むという課題がある。また、付勢手段それ自体にも固定用のフック形状を形成する必要があるので、製造工程が増えてコストが嵩むことになる。
【０００５】
更に、付勢手段である板バネをシャッターの固定部に固定することにより機能を果たしているので、繰り返しの操作や衝撃などにより、板バネの固定部自体が破損するおそれがあり、このほか、板バネが前記固定部から脱落するおそれもある。つまり、付勢手段の組立て用の位置固定部が破損した場合、付勢手段が機能しなくなり、結果的にシャッター自体が機能しなくなるという課題がある。本発明に係る光コネクタ用アダプタは、このような課題を解決するために提案されたものである。
【課題を解決するための手段】
【０００６】
本発明に係る光コネクタ用アダプタの上記課題を解決して目的を達成するための要旨は、 両端開口部に光コネクタ用プラグを嵌合させて接続させるアダプタハウジングと、前記アダプタハウジングの一端側開口部に設けられ斜め配置で当該一端側開口部を閉蓋するシャッターと、前記シャッターを閉蓋方向に付勢する付勢手段とで構成される光コネクタ用アダプタにおいて、
前記アダプタハウジングの一端側開口部と前記シャッターとの回動自在な連結部に、前記付勢手段を組立て位置固定するための固定部を必要とせずに、該付勢手段によるシャッター機能を発揮するように、
前記シャッターの裏面に、前記付勢手段の一端部を収納するガイド溝が設けられるとともに、前記付勢手段を仮止めする収納部及び仮止め手段が設けられ、前記アダプタハウジングの底部に前記仮止め手段の一部を収納するガイド溝が設けられ、前記シャッターに付勢手段が仮止めされた状態で該シャッターの他端部が前記アダプタハウジングの所定の位置に回動自在に係合されて取り付けられ、前記付勢手段が、アダプタハウジングにシャッターが取り付けられた状態で、当該付勢手段を仮止めするための前記収納部から脱し、前記シャッターのガイド溝とアダプタハウジングのガイド溝とに収納された当該付勢手段の一端部と他端部とにより支持されていることである。
【０００７】
前記付勢手段はトーションバネであり、シャッターに設けた仮止め手段は、前記付勢手段の円筒状のコイル部に突き刺さって該付勢手段を仮止めする三角状の突起であることである。
【０００８】
更に、前記シャッターの裏面に設けられた付勢手段を収納する収納部及びガイド溝と、アダプタハウジングの底部に設けられたガイド溝とは、前記シャッターの全開状態で付勢手段を全部収納するとともに、当該シャッターの裏面とアダプタハウジングの底部上面とが密接状態になることを含むものである。
【発明の効果】
【０００９】
本発明の光コネクタ用アダプタによれば、シャッターを閉方向に作用する付勢手段が、アダプタハウジングの組立において、シャッターの裏面に仮止めされ、当該シャッターをアダプタハウジングにピンで軸支させて組み立てるので、付勢手段を組立て位置固定する固定部自体を必要としない構造により、前記固定部の破損によってシャッター機能が損なわれるという従来の不都合が解消される。また、前記付勢手段の前記ピンに対する介在がなくなり、組立の手間が掛からず工期短縮となると言う優れた効果を奏するものである。
【図面の簡単な説明】
【００１０】
【図１−Ａ】本発明に係るシャッター付き光コネクタ用アダプタ１のシャッターを閉じている状態の斜視図（Ａ）と、シャッターを全開させた状態の斜視図（Ｂ）である。
【図１−Ｂ】同本発明に係るシャッター付き光コネクタ用アダプタ１のシャッターを閉じた状態の側面から見た断面図である。
【図２】同本発明のシャッター付き光コネクタ用アダプタ１の、平面図（Ａ）、側面図（Ｂ）、正面図（Ｃ）、背面図（Ｄ）である。
【図３】同シャッター付き光コネクタ用アダプタ１におけるアダプタハウジング２の、斜め前方からの斜視図（Ａ）、後方下からの斜視図（Ｂ）、平面図（Ｃ）、側面図（Ｄ）、正面図（Ｅ）である。
【図４】シャッター3の裏面側の斜視図である。
【図５】同シャッター3の表面側の斜視図（Ａ）、平面図（Ｂ）、側面図（Ｃ）、正面図（Ｄ）である。
【図６】付勢手段であるトーションバネ4の、斜視図（Ａ）、平面図（Ｂ）、側面図（Ｃ）である。
【図７】シャッターをアダプタハウジングに回動自在に支持させるためのピン5の斜視図（Ａ）、側面図（Ｂ）である。
【図８】シャッターと付勢手段との仮止めさせる手順を示す説明用の斜視図（Ａ），（Ｂ）である。
【図９】付勢手段を仮止めしたシャッターを、アダプタハウジングの一方の開口部２ａに組立して装着する様子を示す説明用平面図（Ａ）と、そのアダプタハウジングにスリーブ等を装着する様子を示す、後方下から見た斜視図（Ｂ）とである。
【図１０】本発明に係る光コネクタ用アダプタ１の一部を拡大して示す、シャッターが閉じた状態の断面図（Ａ）、シャッターが全開された状態の断面図（Ｂ）である。
【発明を実施するための形態】
【００１１】
本発明に係る光コネクタ用アダプタ１は、図１−Ｂに示すように、シャッター閉用の付勢手段４を該付勢手段４の両端部４ａ，４ｂのみで支持するようにしたものである。
【実施例１】
【００１２】
本発明に係る光コネクタ用アダプタ１は、図１−Ａ乃至図１−Ｂに示すように、両端開口部２ａ，２ｂに光ファイバを嵌合させて接続させるアダプタハウジング２と、前記アダプタハウジング２の一端側開口部２ａに設けられ斜め配置で当該一端側開口部２ａを閉蓋するシャッター３と、前記シャッター３を閉蓋方向に付勢する付勢手段４とで構成されるものである。
【００１３】
前記光コネクタ用アダプタ１において、前記アダプタハウジング２は、図３に示すように、全体が箱形の筒体であり、前方の一端側開口部２ａには、付勢手段４の他端部４ｂを収納するガイド溝２ｃが設けられている。このガイド溝２ｃは、図３（Ａ），（Ｃ），（Ｅ）に示すように、三角形状の案内板により凹溝が形成されているものである。
【００１４】
前記一端側開口部の両側壁には、図３（Ａ）に示すように、軸用孔２ｄ，２ｅが左右方向に貫通して穿設されている。この軸用孔２ｄ，２ｅは、シャッター３を回転自在に支持するピン５（図７参照）を一方から挿通させて前記両側壁間に架設して固定するものである。
【００１５】
また、アダプタハウジング２の他端側開口部２ｂからは、図１−Ｂに示すように、光ファイバ嵌合用の嵌合部６が挿入され装着されるものである。
【００１６】
前記シャッター３は、図４乃至図５に示すように、その裏面に、前記付勢手段４の一端部４ａを収納する、凹溝状のガイド溝３ａが設けられるとともに、前記付勢手段４を仮止めする収納部３ｂ及び仮止め手段３ｃが設けられている。
【００１７】
また、シャッター３の下部には、ピン５（図７参照）を横に挿通させるためのピン用挿通部３ｄが、裏面から３箇所、正面から２箇所に互い違いに設けられることにより、シャッター支持部となっている。
【００１８】
前記シャッター３に設けた収納部３ｂは、前記付勢手段４の本体部である、例えば、コイル部４ｃ（図６参照）を全部収納できる凹部状の空間部である。また、前記仮止め手段３ｃは、前記付勢手段４の円筒状のコイル部４ｃに突き刺さって該付勢手段４を仮止めする三角状の突起である。
【００１９】
なお、この実施例に限らず、他の公知の仮止め手段を適用できるものである。例えば、細い複数個のピン状突起でも良いし、両側壁で前記コイル部４ｃを緩い摩擦力で引掛けて、付勢手段４を挟持するようにしても良い。図４に示すように、符号３ｅは、逃げ部を示しており、これは、シャッター３を全開状態にした場合、前記アダプタハウジング２のガイド溝２ｃを収納するようになっている。
【００２０】
前記付勢手段４は、図６に示すように、一例としてトーションバネである。これに限らず、板バネでも良い。
【００２１】
以上のように構成される本発明に係る光コネクタ用アダプタ１の組立方法について説明する。図８に示すように、最初に、シャッター３の裏面に、付勢手段であるトーションバネ４を仮止めする。
【００２２】
前記トーションバネ４の仮止めは、トーションバネ４の一端部４ａをガイド溝３ａの位置に対応させながら、コイル部４ｃを収納部３ｂの仮止め手段３ｃに突き刺すようにして押し込む。
【００２３】
前記仮止め手段３cの三角状の突起部が、前記コイル部４ｃの巻いたバネの間に割り込んで入り込み、この付勢手段４が仮止めされる。こうして、シャッター３の裏面に付勢手段４が図８（B）に示すように仮止めされる。
【００２４】
次に、図９（Ａ）に示すように、アダプタハウジング２を用意し、その一端部側の開口部２ａに対して、前記付勢手段４を仮止めしたシャッター３を装着する。付勢手段４の他端部４ｂをアダプタハウジング２側のガイド溝２ｃに入り込ませながら、シャッター３を前記開口部２ａに向けて押し込む。
【００２５】
前記シャッター３のピン用挿通部３ｄと、アダプタハウジング２の軸用孔２ｄ，２ｅとが横一直線になったら、図９（Ａ）に示すように、ピン５を一方から差し込んで軸用孔２ｄ，２ｅ間に架設し、圧入して固定する。
【００２６】
前記アダプタハウジング２にシャッター３を組み立てて、図１０（Ａ），（Ｂ）に示すように、シャッター３を当該アダプタハウジング２の底部内壁に突き当たるまで倒した際に、前記付勢手段４のコイル部４ｃが、仮止め手段３ｃから外れる。
【００２７】
これは、前記コイル部４ｃが付勢力に抗して締められるので、コイルの巻き付け間隔が縮まり、三角状の突起から捻り出るものである。仮止め手段３ｃが、三角形状にした突起なので、間隔が狭まることで付勢手段４が斜めに押し出されるものである。
【００２８】
そして、図１０（Ａ）に示すように、付勢手段４は、そのコイル部４ｃが収納部３ｂから、また、ガイド溝２ｃからも浮いた状態となって配置される。図１０（Ｂ）に示すように、シャッター３を全開状態にした場合、シャッター３裏面の収納部３ｂ及びガイド溝３ａに、付勢手段４が収納される。
【００２９】
また、シャッター３の逃げ部３ｅがガイド溝２ｃを収納し、シャッター３の裏面とアダプタハウジング２の底部内壁とが密接する。当該シャッター３の組立方法は以上であり、従来の組立よりも遙かに容易で、手間が掛からず短時間ですむ。なお、シャッター３の開閉動作とその作用・効果は従来と同様であり、説明を省く。
【００３０】
次に、図９（Ｂ）に示すように、アダプタハウジング２の他端側開口部２ｂから、スリーブＡとスリーブＢとを予め組み付けたスリーブ６を差し込んで装着する。これにより、シャッター付き光コネクタ用アダプタ１が完成する。
【００３１】
以上のように、前記シャッター３に付勢手段４が仮止めされた状態で、該シャッター３の他端部が前記アダプタハウジング２の所定の位置に回動自在に係合されて取り付けられ、前記付勢手段４が、アダプタハウジング２にシャッター３が取り付けられた状態で、当該付勢手段４を仮止めするための前記収納部３ｂから脱し、前記シャッター３のガイド溝３ａとアダプタハウジング２のガイド溝２ｃとに収納された当該付勢手段４の一端部４ａと他端部４ｂとにより支持されているのである。
【００３２】
こうして、シャッター用の付勢手段の組立構造において、付勢手段を組立て位置固定する固定部自体を必要としない構造となったことで、前記固定部の破損によってシャッター機能が損なわれるという従来の不都合が生じない光コネクタ用アダプタ１となる。
【産業上の利用可能性】
【００３３】
本発明に係る光コネクタ用アダプタ１は、シャッター付きの接続具に広く適用できるものである。
【符号の説明】
【００３４】
１          光コネクタ用アダプタ、
２          アダプタハウジング、                  ２ａ      一端側開口部、
２ｂ        他端側開口部、                        ２ｃ      ガイド溝、
２ｄ，２ｅ  軸用孔、
３          シャッター、                          ３ａ      ガイド溝、
３ｂ        収納部、                              ３ｃ      仮止め手段、
３ｄ        ピン用挿通部、                        ３ｅ      逃げ部、
４          付勢手段（トーションバネ）、          ４ａ      一端部、
４ｂ        他端部、                              ４ｃ      コイル部、
５          ピン、                                ５ａ      係止部、
６          嵌合部、                              ６ａ      スリーブＡ、
６ｂ        スリーブＢ、
７          割りスリーブ。
【図１−Ａ】
2014123030.tif 000003
【図１−Ｂ】
2014123030.tif 000004
【図２】
2014123030.tif 000005
【図３】
2014123030.tif 000006
【図４】
2014123030.tif 000007
【図５】
2014123030.tif 000008
【図６】
2014123030.tif 000009
【図７】
2014123030.tif 000010
【図８】
2014123030.tif 000011
【図９】
2014123030.tif 000012
【図１０】
2014123030.tif 000013